(57)【特許請求の範囲】
【請求項１】
垂直方向にのびる第１の外面と第２の外面とが直交する少なくとも一つのコーナ部を有する支柱に、該支柱から離間するとともに該支柱を囲む筒状の柱カバーを取り付けるための取付金物であって、
前記取付金物は、下から上に向かって垂直にのびる上向きスリットを具えた上側取付片と、
上から下に向かって垂直にのびる下向きスリットを具えかつこの下向きスリットを前記上向きスリットに挿入させることにより前記上側取付片と略十字状に遊嵌交差する下側取付片とを含み、
前記略十字状の上側取付片と下側取付片とが構成する一つの入隅部を前記支柱のコーナ部に当接させて上側取付片及び下側取付片が前記支柱の第１の外面及び第２の外面に固着されるとともに、
前記上側取付片及び下側取付片は、前記支柱の外面に固着されることにより該外面に沿って水平方向両側にはみ出してのびる板状の主板部と、
該主板部の水平方向の両端部に設けられかつ前記柱カバーが取り付けられる取付面を有する一対の側板部とを含むことを特徴とする柱カバーの取付金物。
【請求項２】
前記上側取付片及び前記下側取付片は、同一形状であり、下側取付片は、上側取付片とは上下を逆にして使用される請求項１記載の柱カバーの取付金物。
【請求項３】
前記上側取付片の一対の側板部及び下側取付片の一対の側板部は、前記主板部から９０゜の角度で折り曲げられた折曲片からなる請求項１又は２記載の柱カバーの取付金物。
【請求項４】
前記上側取付片の前記折曲片及び前記下側取付片の前記折曲片は、各々の主板部に対して同一方向に折り曲げられている請求項３記載の柱カバーの取付金物。
【請求項５】
前記上側取付片は、その主板部の上縁で前記折曲片とは逆向きに折れ曲がる上部フィンを具え、かつ
前記下側取付片は、その主板部の下縁で前記折曲片とは逆向きに折れ曲がる下部フィンを具える請求項４記載の柱カバーの取付金物。
【請求項６】
前記上側取付片の主板部及び前記下側取付片の主板部には、前記支柱に固着するためのボルトが通る透孔が形成されている請求項１乃至５のいずれかに記載の柱カバーの取付金物。
【請求項７】
前記上側取付片の上向きスリット及び前記下側取付片の下向きスリットは、それぞれ複数本形成されている請求項１乃至６のいずれかに記載の柱カバーの取付金物。
【発明の詳細な説明】
【技術分野】
【０００１】
本発明は、簡単な構造で生産性や可搬性に優れた柱カバーの取付金物に関する。
【背景技術】
【０００２】
従来、図１１（ａ）に示されるように、例えば家屋の外部に立設される玄関ポーチ柱等の化粧柱ｔ等にあっては、鋼材からなりかつ垂直方向にのびる支柱ｕと、該支柱ｕから離間するとともに該支柱ｕを囲む化粧仕上げされた柱カバーｗと、この柱カバーｗを前記支柱ｕに取り付けるための取付金物ａとから構成される。
【０００３】
前記取付金物ａは、図１１（ｂ）に示されるように、同形状の一対の取付片ｂ、ｂから構成される。
【０００４】
各取付片ｂは、その長手方向と直角な断面図において、直線状にのびる中央部ｄと、その両側に連設されかつ前記中央部ｄに対して実質的に４５゜の角度でそれぞれのびることにより実質的に９０゜の交角を有する第１取付片ｃ、第２取付片ｅと、各第１取付片ｃ、第２取付片ｅの端部でそれぞれ実質的に９０゜で折れ曲がる小長さの側片ｆ、ｇとを具えている。そして、前記取付金物ａは、予め工場等で、一対の取付片ｂ、ｂの中央部ｄを背中合わせに向き合わせて溶接されることにより、断面略十字状に一体に形成される。
【０００５】
このような取付金物ａは、現場に搬送された後、支柱ｕのコーナ部ｕ１に第１取付片ｃ、ｃの交差部を沿わせて装着し、支柱ｕの各外面ｕ２にボルトＢ１にて固定される。また、支柱ｕに固定された取付金物ａの各側片ｆ、ｇは、木質の下地材ｈがビスＢ２にて固着され、この下地材ｈを介して均等に４分割された断面Ｌ字状の柱カバー片ｗ１の端部がビスＢ３にて固着される。また、柱カバー片ｗ１の間は水密材ｊが配される。これにより、支柱ｕに、該支柱ｕを囲む筒状の柱カバーｗが取付される。
【０００６】
しかしながら、前記取付金物ａは、一対の取付片ｂ、ｂを溶接により接合されて形成されるため、製造に多くの手間が必要である。また、溶接のバラツキ等により、第１取付片ｃ、ｃの直角の交差部が得られ難く精度が低下しやすい。さらに、断面略十字状をなすため、かさばり易く、運搬効率が悪い。関連する技術としては、次のものがある。
【先行技術文献】
【特許文献】
【０００７】
【特許文献１】特開２００７−５６６３１号公報
【特許文献２】特開２００３−９７０３８号公報
【発明の概要】
【発明が解決しようとする課題】
【０００８】
本発明は、以上のような問題点に鑑み案出なされたもので、下から上にのびる上向きスリットを具えた上側取付片と、上から下にのびる下向きスリットを具えかつこの下向きスリットを上向きスリットに挿入させることにより上側取付片と略十字状に遊嵌交差する下側取付片とを用いるとともに、嵌合された上側取付片と下側取付片とが構成する一つの入隅部を前記支柱のコーナ部に当接させて上側取付片及び下側取付片を支柱の外面に固着することを基本として、簡単な構造で生産性や可搬性を向上させた柱カバーの取付金物を提供することを主たる目的としている。
【課題を解決するための手段】
【０００９】
本発明のうち請求項１記載の発明は、垂直方向にのびる第１の外面と第２の外面とが直交する少なくとも一つのコーナ部を有する支柱に、該支柱から離間するとともに該支柱を囲む筒状の柱カバーを取り付けるための取付金物であって、前記取付金物は、下から上に向かって垂直にのびる上向きスリットを具えた上側取付片と、上から下に向かって垂直にのびる下向きスリットを具えかつこの下向きスリットを前記上向きスリットに挿入させることにより前記上側取付片と略十字状に遊嵌交差する下側取付片とを含み、前記略十字状の上側取付片と下側取付片とが構成する一つの入隅部を前記支柱のコーナ部に当接させて上側取付片及び下側取付片が前記支柱の第１の外面及び第２の外面に固着されるとともに、前記上側取付片及び下側取付片は、前記支柱の外面に固着されることにより該外面に沿って水平方向両側にはみ出してのびる板状の主板部と、該主板部の水平方向の両端部に設けられかつ前記柱カバーが取り付けられる取付面を有する一対の側板部とを含むことを特徴とする。
【００１０】
また請求項２記載の発明は、前記上側取付片及び前記下側取付片は、同一形状であり、下側取付片は、上側取付片とは上下を逆にして使用される請求項１記載の柱カバーの取付金物である。
【００１１】
また請求項３記載の発明は、前記上側取付片の一対の側板部及び下側取付片の一対の側板部は、前記主板部から９０゜の角度で折り曲げられた折曲片からなる請求項１又は２記載の柱カバーの取付金物である。
【００１２】
また請求項４記載の発明は、前記上側取付片の前記折曲片及び前記下側取付片の前記折曲片は、各々の主板部に対して同一方向に折り曲げられている請求項３記載の柱カバーの取付金物である。
【００１３】
また請求項５記載の発明は、前記上側取付片は、その主板部の上縁で前記折曲片とは逆向きに折れ曲がる上部フィンを具え、かつ前記下側取付片は、その主板部の下縁で前記折曲片とは逆向きに折れ曲がる下部フィンを具える請求項４記載の柱カバーの取付金物である。
【００１４】
また請求項６記載の発明は、前記上側取付片の主板部及び前記下側取付片の主板部には、前記支柱に固着するためのボルトが通る透孔が形成されている請求項１乃至５のいずれかに記載の柱カバーの取付金物である。
【００１５】
また請求項７記載の発明は、前記上側取付片の上向きスリット及び前記下側取付片の下向きスリットは、それぞれ複数本形成されている請求項１乃至６のいずれかに記載の柱カバーの取付金物である。
【発明の効果】
【００１６】
本発明の柱カバーの取付金物は、下から上に向かって垂直にのびる上向きスリットを具えた上側取付片と、上から下に向かって垂直にのびる下向きスリットを具えた下側取付片とを各スリットの位置で挿入させることにより、上側取付片と下側取付片とが略十字状に遊嵌交差できる。そして、この略十字状の上側取付片と下側取付片とが構成する一つの入隅部を支柱の直角をなすコーナ部に当接させ、上側取付片及び下側取付片が支柱の外面にそれぞれ固着される。このような固着により、上側取付片と下側取付片とは、ガタを無くして直角に仕上げられて支柱に固着される。従って、従来のように、一対の取付片を予め工場等で溶接固着する必要が無い。従って、本発明の取付金物は生産性が良い。
【００１７】
また、上側取付片と下側取付片とは、施工現場にて互いのスリットを挿入し、略十字状に交差させれば良い。従って、工場から施工現場までは、上側取付片と下側取付片とを組み合わせる必要が無く、バラバラで搬送できる。従って、本発明の取付金物は、荷姿が小さく、可搬性が向上する。
【００１８】
さらに、本発明の取付金物では、従来と同様、支柱の周囲に４つの柱カバーの取付面を設けることができるため、この取付面を利用して支柱に柱カバーを安定して取り付けることができる。
【図面の簡単な説明】
【００１９】
【図１】本発明の一実施形態の柱カバーの取付金物を用いた化粧柱の斜視図である。
【図２】図１の断面図である。
【図３】本実施形態の取付金物を説明する斜視図である。
【図４】図３の取付金物の組立体の斜視図である。
【図５】支柱に取り付けた本実施形態の取付金物の側板部に下地材を取り付けた斜視図である。
【図６】本実施形態の柱カバーの取付金物を搬送するための荷姿の一例を説明する断面図である。
【図７】（ａ）は、他の実施形態の取付金物を説明する斜視図、（ｂ）は、（ａ）の取付金物の組立体の斜視図である。
【図８】図７の金物を用いた化粧柱の断面図である。
【図９】さらに他の実施形態の柱カバーの取付金物を説明する斜視図である。
【図１０】他の実施形態の支柱を説明する断面図である。
【図１１】（ａ）は、従来の柱カバーの取付金物を用いた化粧柱の断面図、（ｂ）は、その柱カバーの取付金物の斜視図である。
【発明を実施するための形態】
【００２０】
以下、本発明の実施の一形態が図面に基づき説明される。
図１及び図２に示されるように、本実施形態の柱カバーの取付金物１は、垂直方向にのびる支柱２に、該支柱２から離間するとともに該支柱２を囲む筒状の柱カバー３を取り付けた、例えば玄関ポーチ柱等の化粧柱Ａなどに好適に利用される。
【００２１】
前記支柱２は、第１の外面４ａと第２の外面４ｂとが直交する少なくとも一つのコーナ部５ａを有する。本実施形態の支柱２は、図２に示される断面において、第１の外面４ａ、第２の外面４ｂの端部からそれぞれ直交してのび第１乃至第２の外面４ａ、４ｂよりも小長さで途切れる第３の外面４ｃ及び第４の外面４ｄを有する。これにより、支柱２は、第３の外面４ｃ及び第４の外面４ｄ間が開口した合計３つのコーナ部５ａ乃至５ｃを有する開断面の角筒状で形成される。ただし、支柱２の断面形状は、例えば図１０に示されるような閉断面の角筒状でも良いのは言うまでもない。また、このような支柱２には、例えば炭素鋼、ステンレス鋼又は合金鋼など各種の鉄鋼材料が好適に用いられる。
【００２２】
図２から明らかなように、本実施形態の柱カバー３は、断面が略正方形の角筒状で構成される。該柱カバー３は、例えば窯業系材料からなり、好ましくは外表面にタイル等が貼り付けられて化粧仕上げされる。このような柱カバー３は、支柱２をその全長さに亘って目隠し、化粧柱としての見映えを高めるのに役立つ。
【００２３】
また、本実施形態の柱カバー３は、例えば、正方形の各辺の中間点で分割されることにより、１辺の長さが等しい断面Ｌ字状の４つのコーナ片３ａから形成される。なお、柱カバー３の断面形状や分割方法などは、このような具体的な実施形態に限定されるものではない。
【００２４】
図３に示されるように、本実施形態の取付金物１は、下から上に向かって垂直にのびる上向きスリット９ａを具えた上側取付片９と、上から下に向かって垂直にのびる下向きスリット１０ａを具えた下側取付片１０とを含んで構成される。そして、図４に示されるように、各々のスリット９ａ、１０ａを互いに挿入することにより、上側取付片９と下側取付片１０とは、略十字状に遊嵌状態で交差することができる。ここで、「略十字状に遊嵌状態で交差する」とは、互いにスリットを介して嵌め合わされた上側取付片９と下側取付片１０との交差角度が９０゜±１０゜程度で範囲で変位可能なようにガタを持った状態を意味する。このような遊嵌状態は、スリット９ａ、１０ａの幅Ｗ５を各取付片９、１０の厚さＴ１よりも僅かに大きく形成することにより得られる。
【００２５】
また、上側取付片９は、支柱２の第１の外面４ａに固着される板状の主板部９ｂと、該主板部９ｂの水平方向の両端部に設けられかつ前記柱カバー３が取り付けられる取付面１３を有する一対の側板部９ｃとを含む。同様に、下側取付片１０も、支柱２の第２の外面４ｂに固着される板状の主板部１０ｂと、該主板部１０ｂの水平方向の両端部に設けられかつ前記柱カバー３が取り付けられる取付面１４を有する一対の側板部１０ｃとを含む。
【００２６】
図２及び図３に示されるように、前記各主板部９ｂ、１０ｂは、単一の平面をのびる平板状をなし、いずれも支柱２の外面４ａ又は４ｂに沿って固着される。また、各主板部９ｂ、１０ｂは、支柱２の外面４ａ又は４ｂに固着されたときに、該支柱２の外面から水平方向両側にはみ出してのびるよう、その水平方向の長さＷ１が支柱２の第１の外面４ａ及び第２の外面４ｂの幅Ｗ３よりも大きく設定されている。一方、前記主板部９ｂ、１０ｂの長さＷ１は、柱カバー３の内法寸法Ｗ４よりも小さく設定されている。なお、各主板部９ｂ、１０ｂの垂直方向の長さＨ１は、材料の強度等を勘案して適宜定められる。
【００２７】
また、上側取付片９の主板部９ｂには、前記上向きスリット９ａが形成される。上向きスリット９ａは、主板部９ｂの下縁９ｘから上縁９ｙに向かって垂直にかつ該主板部９ｂの垂直方向の長さＨ１の半分の長さを有する。同様に、下側取付片１０の主板部１０ｂには、前記下向きスリット１０ａが形成される。下側スリット１０ａは、主板部１０ｂの上縁１０ｙから下縁１０ｘに向かって垂直にかつ該主板部１０ｂの垂直方向の長さＨ１の半分の長さを有する。従って、本実施形態では、上側取付片９と下側取付片１０とをスリット９ａ、１０ａを介して遊嵌交差させたときに、その垂直方向の寸法を最小にできる。なお、前記上向きスリット９ａ及び下向きスリット１０ａは、本実施形態では、前記主板部９ｂ及び主板部１０ｂの前記長さＷ１の中間位置に各１本設けられる。
【００２８】
さらに、図２又は図３に示されるように、上側取付片９の主板部９ｂ及び下側取付片１０の主板部１０ｂには、前記支柱２に固着するためのボルトＢ１が通る透孔ｒが形成されている。なお、支柱２の外面４ａ、４ｂにも、透孔ｒに対応する孔が高さ方向に所定のピッチで形成されている（図示省略）。
【００２９】
図３乃至４に示されるように、本実施形態の各側板部９ｃ及び１０ｃは、それぞれ主板部９ｂ、１０ｂの両端部で、該主板部９ｂ、１０ｂに対して実質的に９０゜の角度で折り曲げられた折曲片１５、１６からなる。このような側板部９ｃ、１０ｃの水平方向の長さＷ２は柱カバー３のコーナ片３ａを取り付けるために、例えば１０〜３０mm程度で適宜定められるのが望ましい。なお  前記各折曲片１５及び１６は、各々の主板部９ｂ、１０ｂに対してそれぞれ同一方向に折り曲げられている。このような上側取付片９及び下側取付片１０は、それぞれ１枚の板状片にスリットを形成するとともに、その両端部を曲げ加工することにより、簡単に製造でき、低コスト化を図ることができる。
【００３０】
なお、上側取付片９及び前記下側取付片１０は、同一形状で形成されるのが望ましい。この場合、下側取付片１０には、前記上側取付片９の上下を逆にして使用することができる。これにより取付片９、１０が、１種類となり、部品点数を削減して生産コストが低減される。
【００３１】
次に、柱カバー３を支柱２に取り付ける工程の一例について述べる。
図４に示されるように、上側取付片９と下側取付片１０とは、互いのスリット９ａ、１０ａを挿入して略十字状に遊嵌交差させ、取付金物１の組立体を得る。そして、この組立体の一つの入隅部ｎが、前記支柱２のコーナ部５ａに当接されて固着される。即ち、図５に示されるように、上側取付片９及び下側取付片１０は、支柱２の第１の外面４ａ及び第２の外面４ｂにそれぞれ沿わされ、透孔ｒにボルトＢ１、Ｂ１を通して支柱２に固着される。
【００３２】
支柱２のコーナ部５ａに取り付けられた取付金物１は、該コーナ部５ａが直角をなすため、上側取付片９と下側取付片１０とは、このコーナ部５ａに沿って遊嵌状態から直角に交差するように位置固定される。なお、取付金物１は、支柱２の高さ方向に所定のピッチで隔設されるのが良い。
【００３３】
次に、図５に示されるように、本実施形態では、各取付片９、１０の側板部９ｃ、１０ｃの取付面１３、１４に、柱カバー３のコーナ片３ａを取り付けるための木質の下地材１８がタッピングビスＢ２等により取り付けられる。該下地材１８は、短冊状の薄板材からなり、取付面１３、１４と柱カバー３の内周面との隙間に合わせて（図２に示す）、１乃至複数枚（本実施形態では３枚）で使用される。このような下地材１８は、石膏ボードや窯業の材料からなる柱カバー３と取付面１３、１４との隙間を埋め、安定して柱カバー３を取付けるのに好適である。
【００３４】
なお、取付面１３、１４に対する下地材１８の水平方向の位置を容易に位置決めうるように、本実施形態の取付面１３、１４には、垂直方向にのびる基準線１７が肉眼で確認可能に設けられる一方、下地材１８には、この基準線１７に合わせるべき位置に、該基準線１７を透視可能な小孔からなる覗き孔１８ａが所定のピッチで設けられている。従って、取付面１３、１４に下地材１８を取り付ける際、下地材１８は、その覗き孔１８ａから基準線１７が見える位置に合わされることで正しく位置決めされ、取付面１３、１４に固着される。この際、覗き孔１８ａをタッピングビスＢ２の下孔として用いることができる。これにより、下地材１８が取付面１３、１４に対して水平方向に位置ずれするのを防ぎ、ひいては後述の柱カバー３の取付を安定して行うのに役立つ。
【００３５】
また、図２に示されるように、本実施形態では、柱カバー３は、その中心が、支柱２のコーナ部５ａよりも支柱２側（支柱２の内部側）に位置ずれして配される。このため、各取付片９、１０は、柱カバー３の中心線Ｃ１、Ｃ２から偏芯するとともに、各取付片９、１０の側板部９ｃ、１０ｃは、それぞれ主板部９ｂ、１０ｂから前記中心線Ｃ１、Ｃ２側（支柱２側）へと折り曲げられている。従って、各側板部９ｃ、１０ｃの取付面１３、１４は、柱カバー３の中心線Ｃ１、Ｃ２と交差してのびる支持面を形成する。このような取付面１３、１４は、前記中心線Ｃ１、Ｃ２の交差してのびる下地材１８を安定して保持できる。従って、前記基準線１７は、前記中心線Ｃ１又はＣ２の位置に設けられるとともに、下地材１８の幅の中心に覗き孔１８ａを設けることにより、下地材１８を、前記中心線Ｃ１又はＣ２に対してよりバランス良く線対称に配置することができる。
【００３６】
次に、図２に示されるように、柱カバー３のコーナ片３ａが、ビスＢ３等で前記下地材１８に固着される。この実施形態では、コーナ片３ａの両端部３ａ１、３ａ１がそれぞれ下地材１８に固着されている。隣り合うコーナ片３ａ、３ａ間には小隙間が形成されるが、この小隙間にはコーキング材２０が配されて水密される。
【００３７】
以上説明したように、本発明の取付金物１は、施工現場で上側及び下側取付片９、１０のスリット９ａ、１０ａを互いに挿入して略十字状に遊嵌交差させて支柱２に固着される。そして、取付金物１は、支柱２へ固着されることにより、上側取付片９と下側取付片１０とは、ガタを無くして直角に仕上げられる。従って、本発明の取付金物１は、従来のように、一対の取付片を予め工場等で溶接固着する必要が無く生産性に優れる。
【００３８】
また、このような取付金物１は、工場から施工現場までは、例えば図６に示されるように、各取付片９、１０を重ね合わせて小さな荷姿で搬送できるため、可搬性に優れる。
【００３９】
さらに、本発明の取付金物１では、従来と同様、支柱２の周囲に４つの柱カバー３の取付面１３、１４を設けることができるため、この取付面１３、１４を利用して支柱２に柱カバー３を安定して取り付け得るとともに、複雑な工程や作業を必要としない。
【００４０】
図７（ａ）及び（ｂ）には、本発明の取付金物１の他の実施形態の断面図が示される。
この実施形態では、前記上側取付片９は、その主板部９ｂの上縁９ｙで前記折曲片１５とは逆向きに折れ曲がる矩形の上部フィン９ｅを具える。また、下側取付片１０は、その主板部１０ｂの下縁１０ｘで前記折曲片１６とは逆向きに折れ曲がる矩形の下部フィン１０ｅを具える。
【００４１】
このような上部及び下部フィン９ｅ、１０ｅを具えた上側取付片９及び下側取付片１０は、各取付片９、１０の曲げ剛性を高め耐久性に優れる。これは、搬送中の取付片９、１０の変形等を効果的に防止しうる。また、図８に示されるように、上部及び下部フィン９ｅ、１０ｅを設けた取付金物１は、支柱２のコーナ部５ａを当接可能な主板部９ｂ、１０ｂがなす入隅部が１カ所しか存在しない。従って、このような取付金物１は、支柱２への取付位置が一義的に決定されるので、取付ける向きのミスなどを防止し、施工性を向上できる。
【００４２】
また、図９には、さらに本発明の他の実施形態が示される。
この実施形態では、上側取付片９の上向きスリット９ａ及び前記下側取付片１０の下向きスリット１０ａは、それぞれ複数本（本実施形態では、各々２本）形成されている。この実施形態によれば、上向きスリット９ａ１、９ａ２及び下向きスリット１０ａ１、１０ａ２の挿入位置を変えるだけで、容易に上側取付片９と下側取付片１０とがなす十字状の形状を変えることができる。具体的には、支柱２のコーナ部５ａに当接させる入隅部ｎから側板部９ｃ、１０ｃの取付面１３、１４までの距離を変えることができる。従って、このような取付金物１では、図１０に示されるように、支柱２に対する柱カバー３の位置を変えることができる。従って、このような取付金物１は、同一の支柱２に対して柱カバー３の配設位置を変えてプランニングに幅を持たせることができる他、支柱２の断面形状が異なる場合でも、柱カバー３を同一位置に形成することができ、汎用性が向上する。
【００４３】
なお、このように複数本の上向きスリット９ａ及び下向きスリット１０ａが形成された上側取付片９及び下側取付片１０の取付面１３、１４には、その複数本のスリットの位置に対応した前記基準線１７（本実施形態では１７ａ及び１７ｂ）がスリットの数と同じ本数だけ形成されるのが望ましい。
【００４４】
なお、図１０に示されるように、支柱２が、閉断面の角筒状の場合、取付金物１は、ボルトＢ１及びナットを用いることができないため、ビスＢ５により固着される。なお、図３に示されるように、前記主板部９ｂ、１０ｂには、容易に支柱２の外面４と固着できるように、予めビス穴１９も形成されているのが望ましい。
【００４５】
以上、本発明の特に好ましい実施形態について詳述したが、本発明は図示の実施形態に限定されることなく、種々の態様に変形して実施し得る。
【符号の説明】
【００４６】
１    柱カバーの取付金物
２    支柱
３    柱カバー
４    外面
４ａ  第１の外面
４ｂ  第２の外面
５    コーナ部
９    上側取付片
９ａ  上向きスリット
９ｂ、１０ｂ  主板部
９ｃ、１０ｃ  側板部
１０    下側取付片
１０ａ  下向きスリット
１３、１４  側板部の取付面
【図１】
0005391126.tif 000002
【図２】
0005391126.tif 000003
【図３】
0005391126.tif 000004
【図４】
0005391126.tif 000005
【図５】
0005391126.tif 000006
【図６】
0005391126.tif 000007
【図７】
0005391126.tif 000008
【図８】
0005391126.tif 000009
【図９】
0005391126.tif 000010
【図１０】
0005391126.tif 000011
【図１１】
0005391126.tif 000012